(57)【要約】      （修正有）【課題】右手での演奏が可能となるフルート属の胴部管、及び、これを用いたフルート属を提供する。【解決手段】フルート属の胴部管２０において、Ｅカップ、Ｆカップ、Ｆ＃カップ、Ｇカップは一つの列（第一配列）を形成して開放を常態とするように設けられる。Ｇ＃’カップ５４、Ａ’カップ５５、Ａ＃’カップ５６、Ｂ’カップ５７及びＣ’カップ５８は、閉鎖を常態とするように設けられる。Ｃ＃’カップ、Ｄ’カップ６０、及びＤ＃’カップ６１は、閉鎖を常態とするように設けられる。Ｇ＃’カップ、Ａ’カップ、Ａ＃’カップ、Ｂ’カップ及びＣ’カップの開閉をそれぞれ操作する各操作キー７５と、Ｃ＃’カップ、Ｄ’カップ、及びＤ＃’カップの開閉をそれぞれ操作する各操作キーが、Ａ’カップが配置される箇所よりも足部管側に配される。【選択図】図１Ａ
0003219026.tif 000002
【実用新案登録請求の範囲】
【請求項１】
足部管が接続される側（足部管側）から順に、Ｅカップ、Ｆカップ、Ｆ＃カップ、Ｇカップ、Ｇ＃’カップ（Ｇ＃カップ）、Ａ’カップ（Ａカップ）、Ａ＃’カップ（Ａ＃カップまたはＢ♭カップ）、Ｂ’カップ（Ｈカップ）、Ｃ’カップ（胴部Ｃカップ）、Ｃ＃’カップ（Ｃ＃カップ）、Ｄ’カップ（Ｄトリルカップ）、及びＤ＃’カップ（Ｄ＃トリルカップ）が配列され、
前記Ｅカップ、Ｆカップ、Ｆ＃カップ、Ｇカップは一つの列（第一配列）を形成し、該第一配列の各カップは開放を常態とするように設けられ、
前記Ｇ＃’カップ、Ａ’カップ、Ａ＃’カップ、Ｂ’カップ及びＣ’カップは、閉鎖を常態とするように設けられ、
かつ、前記Ｃ＃’カップ、Ｄ’カップ、及びＤ＃’カップは、閉鎖を常態とするように設けられ、
前記Ｇ＃’カップ、Ａ’カップ、Ａ＃’カップ、Ｂ’カップ及びＣ’カップの開閉をそれぞれ操作する各操作キーと、前記Ｃ＃’カップ、Ｄ’カップ、及びＤ＃’カップの開閉をそれぞれ操作する各操作キーが、前記Ａ’カップが配置される箇所よりも足部管側に配されるようにして設けられる
ことを特徴とする、フルート属の胴部管。
【請求項２】
前記各操作キーが、
前記Ｇ＃’カップと接続し、前記Ｇカップの開閉を操作するＧ＃’操作キーと、
前記Ａ’カップと接続するとともに、Ｇ＃’操作キーと接続して該Ｇ＃’操作キーと連動し、前記Ａ’カップ及びＧ＃’カップの開閉を操作するＡ’操作キーと、
前記Ａ＃’カップと接続するとともに、前記Ａ’操作キーと接続して前記Ａ’操作キー及び前記Ｇ＃’操作キーと連動し、前記Ａ＃’カップ、前記Ａ’カップ及びＧ＃’カップの開閉を操作するＡ＃’操作キーと、
前記Ｂ’カップと接続するとともに、前記Ａ＃’操作キーと接続して前記Ａ＃’操作キー、前記Ａ’操作キー及び前記Ｇ＃’操作キーと連動し、前記Ｂ’カップ、前記Ａ＃’カップ、前記Ａ’カップ及びＧ＃’カップの開閉を操作するＢ’操作キーと、
前記Ｃ’カップと接続し、前記Ｃ’カップの開閉を操作するＣ’操作キーと、
前記Ｃ＃’カップと接続し、前記Ｃ＃’カップの開閉を操作するＣ＃’操作キーと、
前記Ｄ’カップと接続し、前記Ｄ’カップの開閉を操作するＤ’操作キーと、
前記Ｄ＃’カップと接続し、前記Ｄ＃’カップの開閉を操作するＤ＃’操作キーと、
から構成される、
請求項１に記載のフルート属の胴部管。
【請求項３】
前記Ｇ＃’カップ、Ａ’カップ、Ａ＃’カップ、Ｂ’カップ及びＣ’カップは、前記第一配列とは異なる列（第二配列）を形成する請求項１又は２に記載のフルート属の胴部管。
【請求項４】
請求項１〜３のいずれか一項に記載の胴部管を用いたフルート属。
【考案の詳細な説明】
【技術分野】
【０００１】
本考案はフルート属（フルート、アルトフルート、バスフルート、ピッコロ等を含む。本明細書においては「フルート属」又は単に「フルート」という。）に関するものである。より詳細には、右手で演奏が可能となるフルートの胴部管、及び、これを用いたフルートに関するものである。なお、フルートにおいては、キー等の呼び名（名称）が演奏上のものと製造上のものとで異なるが、本明細書では製造上用いられる名称を用いる。
【背景技術】
【０００２】
従来、フルートは、頭部管、胴部管（主管）及び足部管から構成される。通常のフルート（従来のフルート）の概略図を図５及び図６に示す。これらの図に示されるとおり、従来のフルートにおいては、操作キー（１）（２）（３）及び（１Ｒ）（２Ｒ）（３Ｒ）は足部管（４０）に設けられ、操作キー（４）〜（１６）、（６Ｒ）〜（９Ｒ）、及び（１１Ｒ）〜（１５Ｒ）は、胴部管（４１）に設けられる。
【０００３】
これらの操作キーのうち、（１）〜（７）、（１Ｒ）〜（３Ｒ）、（１１Ｒ）、（１３Ｒ）及び（１４Ｒ）は右手で操作され、残りの操作キーは左手で操作される。このように、従来のフルートは両手で操作しなければ演奏できない構造となっているため、何らかの理由で片手、例えば左手が怪我などで使用できない場合、演奏することができないという問題がある。
【０００４】
ここで、仮にフルートを片手で演奏できるように構成するとしても、操作キーが複雑な配列となってしまっては演奏が困難となる。更に、構造が複雑となってしまうと、故障しやすくなるばかりでなく、フルートの製造自体が事実上困難なものとなる。
【０００５】
管楽器においては、高音部は左手で操作する場合が多く、左手のみによる演奏用のフルートは、低音域のみの改造で済み、比較的構成され易い。
【０００６】
これに対し、右手のみによる演奏用のフルートについては、低音部を通常と同じく右手で操作するのみならず、高音部も右手で操作する必要がある。しかしながら、フルートにおいては、高音部の一カ所でも開いていると、構造上、低音域の音出しが不可能となることから、右手で低音部を操作すると共に、高音部も操作するように構成することは容易ではない。
【０００７】
片手で演奏するためのフルートとして、特許文献１が提案されている。この考案は、主として左手で演奏することが念頭に置かれたものであり、特に左手のみで演奏する際に有用である。
【０００８】
この特許文献１の考案の構造を、右手のみによる演奏用に構成し直すことも考えられる（特許文献１の段落［００３５］〜［００３８］）。ただ、この場合、カップの配置が通常のフルートと逆となるため、使い勝手が必ずしも良いものとならない可能性があった。
【先行技術文献】
【特許文献】
【０００９】
【特許文献１】実用新案登録第３２１３６５３号
【考案の概要】
【考案が解決しようとする課題】
【００１０】
本考案は以上の問題に鑑みてなされたものであり、片手、特に右手での演奏が可能となるフルートの胴部管、及び、これを用いたフルート属を提供することを課題とする。
【課題を解決するための手段】
【００１１】
本考案は、胴管部において右手により操作できる範囲内に全ての操作部分を配し、カップの開閉の常態を通常のフルートと異なるように構成すると共に、高音部のカップが開く場合、任意の音のカップだけ開くのではなく、そのカップの低音側のカップも開くように構成し、上記の問題に対処する。
【００１２】
すなわち、上記課題を解決するため、第１の側面として、本考案は、
足部管が接続される側（足部管側）から順に、Ｅカップ、Ｆカップ、Ｆ＃カップ、Ｇカップ、Ｇ＃’カップ（Ｇ＃カップ）、Ａ’カップ（Ａカップ）、Ａ＃’カップ（Ａ＃カップまたはＢ♭カップ）、Ｂ’カップ（Ｈカップ）、Ｃ’カップ（胴部Ｃカップ）、Ｃ＃’カップ（Ｃ＃カップ）、Ｄ’カップ（Ｄトリルカップ）、及びＤ＃’カップ（Ｄ＃トリルカップ）が配列され、
前記Ｅカップ、Ｆカップ、Ｆ＃カップ、Ｇカップは一つの列（第一配列）を形成し、該第一配列の各カップは開放を常態とするように設けられ、
前記Ｇ＃’カップ、Ａ’カップ、Ａ＃’カップ、Ｂ’カップ及びＣ’カップは、閉鎖を常態とするように設けられ、
かつ、前記Ｃ＃’カップ、Ｄ’カップ、及びＤ＃’カップは、閉鎖を常態とするように設けられ、
前記Ｇ＃’カップ、Ａ’カップ、Ａ＃’カップ、Ｂ’カップ及びＣ’カップの開閉をそれぞれ操作する各操作キーと、前記Ｃ＃’カップ、Ｄ’カップ、及びＤ＃’カップの開閉をそれぞれ操作する各操作キーが、前記Ａ’カップが配置される箇所よりも足部管側に配されるようにして設けられる
ことを特徴とする、フルート属の胴部管を提供するものである。
第２の側面として、本考案は、
前記各操作キーが、
前記Ｇ＃’カップと接続し、前記Ｇカップの開閉を操作するＧ＃’操作キーと、
前記Ａ’カップと接続するとともに、Ｇ＃’操作キーと接続して該Ｇ＃’操作キーと連動し、前記Ａ’カップ及びＧ＃’カップの開閉を操作するＡ’操作キーと、
前記Ａ＃’カップと接続するとともに、前記Ａ’操作キーと接続して前記Ａ’操作キー及び前記Ｇ＃’操作キーと連動し、前記Ａ＃’カップ、前記Ａ’カップ及びＧ＃’カップの開閉を操作するＡ＃’操作キーと、
前記Ｂ’カップと接続するとともに、前記Ａ＃’操作キーと接続して前記Ａ＃’操作キー、前記Ａ’操作キー及び前記Ｇ＃’操作キーと連動し、前記Ｂ’カップ、前記Ａ＃’カップ、前記Ａ’カップ及びＧ＃’カップの開閉を操作するＢ’操作キーと、
前記Ｃ’カップと接続し、前記Ｃ’カップの開閉を操作するＣ’操作キーと、
前記Ｃ＃’カップと接続し、前記Ｃ＃’カップの開閉を操作するＣ＃’操作キーと、
前記Ｄ’カップと接続し、前記Ｄ’カップの開閉を操作するＤ’操作キーと、
前記Ｄ＃’カップと接続し、前記Ｄ＃’カップの開閉を操作するＤ＃’操作キーと、
から構成される、
上記のフルート属の胴部管を提供するものである。
第３の側面として、本考案は、
前記Ｇ＃’カップ、Ａ’カップ、Ａ＃’カップ、Ｂ’カップ及びＣ’カップは、前記第一配列とは異なる列（第二配列）を形成する上記のフルート属の胴部管を提供するものである。
第４の側面として、本考案は、
上記のいずれかの胴部管を用いたフルート属を提供するものである。
【考案の効果】
【００１３】
本考案によれば、フルートを右手のみで演奏することが可能となる。
【図面の簡単な説明】
【００１４】
【図１】本考案の一実施形態を示す図であり、図１Ａはフルートの胴管部をある方向から見た図、図１Ｂは図１Ａの胴管部を別の方向から見た図、図１Ｃは図１Ａの胴管部を更に別の方向から見た図である。
【図２】本考案の一実施形態に係る胴部管を示す図であり、図１Ｃと同じ方向から見た図である。図中の、ア、イ、ウ、エの部分において、図の向かって右側（足部管側）から見た図が、図３の［ア］［イ］［ウ］［エ］においてそれぞれ示される。
【図３】図２のア、イ、ウ、エの部分において、図の向かって右側（足部管側）から見た状態を示す図であり、それぞれ［ア］［イ］［ウ］［エ］において示される。
【図４】本考案のフルートに支持具を取り付けた状態を示す図である。
【図５】通常（従来）のフルートを、ある方向（図１Ａと同じ方向）から見た図である。
【図６】通常（従来）のフルートを、図５とは別の方向から見た図である。
【考案を実施するための形態】
【００１５】
以下、本考案につき、フルートの胴部管及びこれを用いたフルートを例にして、図面に基づいて具体的に説明する。図面は、便宜上実際のものと異なる縮尺で示している。部品の一つであるポストはフルートに複数設けられるが、図面においては実際に設けられるものと同じ個数が図示されているとは限らず、一部省略等されている。また、「Ｇ＃’カップ」にあるような「’」（ダッシュ）は、説明の便宜上付したものである。同様に、あるカップとそれを操作する操作キーは、説明の便宜上、それぞれ「カップ」と「操作キー」の語を用いつつ、同じ記号を用いて表している（例：「Ｇ＃’カップ」と、その開閉を操作する「Ｇ＃’操作キー」）。なお、通常のフルートと同じ部品については、通常のフルートに係る図５・図６において示される符号を用いて説明する。
【００１６】
本明細書記載の実施形態は一例に過ぎず、本考案はこれのみに限定されるものではない。
【００１７】
本実施形態は、右手のみで演奏する場合のフルートの胴部管及びこれを用いたフルートに関する。本実施形態に係る胴部管（及びこれを用いたフルート）をある方向から見た図を図１Ａに示し、これを図１Ａとは別の方向から見た図を図１Ｂに示し、これを更に別の方向から見た図を図１Ｃに示す。
【００１８】
胴部管（２０）には、一端側（図１の向かって左側）に、吹き口（１８）を有する頭部管（２１）が接続される。胴部管の他端側（前記一端側と逆の側。図１の向かって右側。）には、足部管（４０）が接続される。
【００１９】
胴部管には、足部管が接続される側（足部管側）から順に、Ｅカップ（５０）、Ｆカップ（５１）、Ｆ＃カップ（５２）、Ｇカップ（５３）、Ｇ＃’カップ（Ｇ＃カップ）（５４）、Ａ’カップ（Ａカップ）（５５）、Ａ＃’カップ（Ａ＃カップまたはＢ♭カップ）（５６）、Ｂ’カップ（Ｈカップ）（５７）、Ｃ’カップ（胴部Ｃカップ）（５８）、Ｃ＃’カップ（Ｃ＃カップ）（５９）、Ｄ’カップ（Ｄトリルカップ）（６０）、及びＤ＃’カップ（Ｄ＃トリルカップ）（６１）が配列される。
【００２０】
Ｅカップ、Ｆカップ、Ｆ＃カップ、Ｇカップは、一つの列（第一配列）を形成する。すなわち、これらのカップが開閉するトンホール（図示せず）は、ほぼ一直線上に配置するようにして胴管部に設けられる。
【００２１】
第一配列の各カップは、所定のポストに設けられたバネ（図示せず）によって開放を常態とするように設けられており、これらのカップを押さえると閉じ、押さえる力が解放されるとカップが開いた状態となるように構成されている。
【００２２】
なお、第一配列の各カップは、通常のフルートにおいても、基本的に上記と同様に構成されており、右手で操作される位置（すなわち胴管部における足部管側）に配置され、右手にて開閉される。
【００２３】
Ｇ＃’カップ、Ａ’カップ、Ａ＃’カップ、Ｂ’カップ及びＣ’カップは、所定のポストに設けられたバネ（図示せず）によって閉鎖を常態とするように設けられ、後述の操作キーを操作することにより開閉される。すなわち、操作キーを押さえるとこれらのカップが開き、押さえる力が解放されるとカップが閉じた状態となるように構成されている。
【００２４】
通常のフルートにおいて、Ｇ＃’カップ、Ａ’カップ、Ａ＃’カップ、Ｂ’カップ及びＣ’カップに相当するカップは、開放を常態とするように設けられており、左手で操作することにより、これらのカップが開閉される（いわば閉じる動作が主となる）。これに対し、本考案においては、Ｇ＃’カップ、Ａ’カップ、Ａ＃’カップ、Ｂ’カップ及びＣ’カップを上記のように構成し（閉鎖が常態であるため、カップの操作としては、いわば開く動作が主となる）、かつ、後述のようにこれらを操作する操作キーを右手操作範囲に設けることにより、通常のフルートにおいて左手により操作していた部分を右手で操作できるようにしている。
【００２５】
通常のフルートにおいては、第一配列と同一の直線上に配される（図５・図６参照）。これに対し、本考案においては、Ｇ＃’カップ、Ａ’カップ、Ａ＃’カップ、Ｂ’カップ及びＣ’カップは、第一配列とは異なる列（第二配列）を形成するように構成するのが好適である。すなわち、これらのカップが開閉するトンホール（図示せず）は、第一配列の形成する直線とは別の直線上に、ほぼ一直線上に配置するようにして胴管部に設けられる。本実施例においては、第一配列のカップは図１Ｃに表れており、第二配列のカップは、これと反対側（裏側。ほぼ１８０度反対側。）を示す図１Ａに表れている。
【００２６】
第二配列のカップをこのように配置することにより、後述の操作キーとカップを接続する連絡棒等を設けるスペースを確保することが容易となる。
【００２７】
更に、通常のフルートにおいて、Ｃ＃’カップは開放を常態とするように設けられており、左手で操作することにより、これを開閉するように構成されている。これに対し、本考案においては、Ｃ＃’カップは、閉鎖を常態とするように設けられ、所定のポストに設けられたバネ（図示せず）によって閉鎖を常態とするように設けられており、後述のキーを操作することにより開閉される。すなわち、キーを押さえるとこのカップが開き、押さえる力が解放されるとカップが閉じた状態となるように構成されている。
【００２８】
また、Ｄ’カップ、及びＤ＃’カップについても、閉鎖を常態とするように設けられ、所定のポストに設けられたバネ（図示せず）によって閉鎖を常態とするように設けられており、後述のキーを操作することにより開閉される。すなわち、キーを押さえるとこれらのカップが開き、押さえる力が解放されるとカップが閉じた状態となるように構成されている。
【００２９】
以上の第二配列の各カップの開閉をそれぞれ操作する各操作キーと、Ｃ＃’カップ、Ｄ’カップ、及びＤ＃’カップの開閉をそれぞれ操作する各操作キーは、右手のみで操作できるようにするため、胴部管の右手操作範囲に設けられる。より具体的には、Ａ’カップが配置される箇所よりも足部管側に配されるようにして設けるものとする。操作キーをこのように配置させることにより、全てのカップの開閉を右手のみで操作することができるものとなる。
【００３０】
以下、本考案のより具体的な構成例について説明する。
【００３１】
Ｅカップ、Ｆカップ、Ｆ＃カップ、Ｇカップは、胴部管の長手方向に略平行な連絡棒（２３）に取り付けられ、上記のとおり所定のポストに設けられたバネ（図示せず）によって開放を常態とするように設けられる。
【００３２】
Ｅカップ、Ｆカップ及びＦ＃カップは、Ｇカップと連動し、Ｅカップ（又はＦカップ、Ｆ＃カップ）を押さえて閉じると、Ｇカップも閉じる。一方、Ｇカップのみを押したときは他のカップとは連動せず、Ｇカップを押さえても、ＥカップもＦカップもＦ＃カップも閉じないように構成されている。
【００３３】
Ｇ＃’カップ、Ａ’カップ、Ａ＃’カップ、Ｂ’カップ及びＣ’カップは、胴部管の長手方向に略平行な連絡棒（２４）に取り付けられ、上記のとおり所定のポストに設けられたバネ（図示せず）によって閉鎖を常態とするように設けられる。ここでは、Ｇ＃’カップ、Ａ’カップ、Ａ＃’カップ、Ｂ’カップ及びＣ’カップは、第一配列とは異なる列（第二配列）を形成する好適な構成（上述）を例にして説明する。
【００３４】
連絡棒（２４）には、Ｇ＃’カップ（Ｇ＃カップ）（５４）を開閉するＧ＃’操作キー（Ｇ＃キー）（７０）と、胴部管の長手方向に略平行となるようにして連絡棒（２５）が取り付けられ、Ｇ＃’操作キー（７０）を押さえると、連絡棒（２５）を介してＧ＃’カップ（５４）が開くように構成される。Ｇ＃’操作キー（７０）を押さえる力が解放されると、バネの反発力により、Ｇ＃’カップ（５４）が閉じた状態に戻る。このように、Ｇ＃’カップ（５４）の開閉は、Ｇ＃’操作キー（７０）を操作することによって行う。Ｇ＃’操作キー（７０）を押さえた場合に他の操作キーは連動しない。
【００３５】
連絡棒（２４）には、Ａ’カップ（Ａカップ）（５５）を開閉するＡ’操作キー（Ａキー）（７１）と、胴部管の長手方向に略平行となるようにして連絡棒（２６）が取り付けられている。また、Ａ’操作キー（７１）は、Ｇ＃’操作キー（７０）と接続しており、Ａ’操作キー（７１）を押さえると、Ｇ＃’操作キー（７０）も連動する（押さえられる）ように構成されている。これにより、Ａ’操作キー（７１）を押さえると、連絡棒（２６）を介してＡ’カップ（５５）が開くとともに、Ｇ＃’カップ（５４）が開くように構成される。Ａ’操作キー（７１）を押さえる力が解放されると、バネの反発力により、Ａ’カップ（５５）及びＧ＃’カップ（５４）が閉じた状態に戻る。このように、Ａ’カップ（５５）及びＧ＃’カップ（５４）の開閉は、Ａ’操作キー（７１）を操作することによって行う。なお、その低音側のＧカップ（５３）及びＦ＃カップ（５２）は開放を常態とするので、結果として正常な音階を出すことができる。
【００３６】
連絡棒（２４）には、Ａ＃’カップ（Ａ＃カップまたはＢ♭カップ）（５６）を開閉するＡ＃’操作キー（Ａ＃キーまたはＢ♭キー）（７２）と、胴部管の長手方向に略平行となるようにして連絡棒（２７）が取り付けられている。また、Ａ＃’操作キー（７２）は、Ａ’操作キー（７１）及びＧ＃’操作キー（７０）と接続しており、Ａ＃’操作キー（７２）を押さえると、Ａ’操作キー（７１）及びＧ＃’操作キー（７０）も連動する（押さえられる）ように構成されている。これにより、Ａ＃’操作キー（７２）を押さえると、連絡棒（２７）を介してＡ＃’カップ（５６）が開くとともに、Ａ’カップ（５５）及びＧ＃’カップ（５４）が開くように構成される。Ａ＃’操作キー（７２）を押さえる力が解放されると、バネの反発力により、Ａ＃’カップ（５６）、Ａ’カップ（５５）及びＧ＃’カップ（５４）が閉じた状態に戻る。このように、Ａ＃’カップ（５６）、Ａ’カップ（５５）及びＧ＃’カップ（５４）の開閉は、Ａ＃’操作キー（７２）を操作することによって行う。
【００３７】
連絡棒（２４）には、Ｂ’カップ（Ｈカップ）（５７）を開閉するＢ’操作キー（Ｈキー）（７３）と、胴部管の長手方向に略平行となるようにして連絡棒（２８）が取り付けられている。また、Ｂ’操作キー（７３）は、Ａ＃’操作キー（７２）、Ａ’操作キー（７１）及びＧ＃’操作キー（７０）と接続しており、Ｂ’操作キー（７３）を押さえると、Ａ＃’操作キー（７２）、Ａ’操作キー（７１）及びＧ＃’操作キー（７０）も連動する（押さえられる）ように構成されている。これにより、Ｂ’操作キー（７３）を押さえると、連絡棒（２８）を介してＢ’カップ（５７）が開くとともに、Ａ＃’カップ（５６）、Ａ’カップ（５５）及びＧ＃’カップ（５４）が開くように構成される。Ｂ’操作キー（７３）を押さえる力が解放されると、バネの反発力により、Ｂ’カップ（５７）、Ａ＃’カップ（５６）、Ａ’カップ（５５）及びＧ＃’カップ（５４）が閉じた状態に戻る。このように、Ｂ’カップ（５７）、Ａ＃’カップ（５６）、Ａ’カップ（５５）及びＧ＃’カップ（５４）の開閉は、Ｂ’操作キー（７３）を操作することによって行う。
【００３８】
連絡棒（２４）には、Ｃ’カップ（胴部Ｃカップ）（５８）を開閉するＣ’操作キー（胴部Ｃキー）（７４）と、胴部管の長手方向に略平行となるようにして連絡棒（２９）が取り付けられている。これにより、Ｃ’操作キー（７４）を押さえると、連絡棒（２９）を介してＣ’カップ（５８）が開くように構成される。Ｃ’操作キー（７４）を押さえる力が解放されると、バネの反発力により、Ｃ’カップ（５８）が閉じた状態に戻る。このように、Ｃ’カップ（５８）の開閉は、Ｃ’操作キー（７４）を操作することによって行う。Ｃ’操作キー（７４）を押さえた場合に他の操作キーは連動しない。Ｃ’カップ（５８）は運指上必要な場合があり、単独で開閉するものとしている。正しいＣ音を出す場合、Ｃ’操作キー（７４）及びＢ’操作キー（７３）を同時に押さえる。
【００３９】
連絡棒（２４）には、Ｃ＃’カップ（Ｃ＃カップ）（５９）を開閉するＣ＃’操作キー（Ｃ＃キー）（７５）と、胴部管の長手方向に略平行となるようにして連絡棒（３０）が取り付けられ、Ｃ＃’操作キー（７５）を押さえると、連絡棒（３０）を介してＣ＃’カップ（５９）が開くように構成される。Ｃ＃’操作キー（７５）を押さえる力が解放されると、バネの反発力により、Ｃ＃’カップ（５９）が閉じた状態に戻る。このように、Ｃ＃’カップ（５９）の開閉は、Ｃ＃’操作キー（７５）を操作することによって行う。なお、通常のフルートにおいてこのカップに相当するカップは開放を常態とするが、本考案では閉鎖を常態とし、必要時に開くものとする。
【００４０】
Ｄ’カップ及びＤ＃’カップは、胴部管の長手方向に略平行な連絡棒（３１）に取り付けられ、上記のとおり所定のポストに設けられたバネ（図示せず）によって閉鎖を常態とするように設けられる。
【００４１】
連絡棒（３１）には、Ｄ’カップ（Ｄトリルカップ）（６０）を開閉するＤ’操作キー（Ｄトリルキー）（７６）が取り付けられ、Ｄ’操作キー（７６）を押さえると、Ｄ’カップ（６０）が開くように構成される。Ｄ’操作キー（７６）を押さえる力が解放されると、バネの反発力により、Ｄ’カップ（６０）が閉じた状態に戻る。このように、Ｄ’カップ（６０）の開閉は、Ｄ’操作キー（７６）を操作することによって行う。
【００４２】
連絡棒（３１）には、Ｄ＃’カップ（Ｄ＃トリルカップ）（６１）を開閉するＤ＃’操作キー（Ｄ＃トリルキー）（７７）が取り付けられ、Ｄ＃’操作キー（７７）を押さえると、Ｄ＃’カップ（６１）が開くように構成される。Ｄ＃’操作キー（７７）を押さえる力が解放されると、バネの反発力により、Ｄ＃’カップ（６１）が閉じた状態に戻る。このように、Ｄ＃’カップ（６１）の開閉は、Ｄ＃’操作キー（７７）を操作することによって行う。
【００４３】
上記のようにシンプルな構造とすることにより、フルートが故障しやすくなることを防ぐことができる。また、フルートの製造が困難となることもない。
【００４４】
また、本考案においては、通常のフルートにおいて右手で操作されるカップは同様に操作されるものとしつつ、通常のフルートにおいて左手で操作される部分を、シンプルかつ明瞭でコンパクトな配列としたことにより、本来の右手による操作を損なうこともない。
【００４５】
そして、Ｇ＃’カップ、Ａ’カップ、Ａ＃’カップ、Ｂ’カップ及びＣ’カップの開閉をそれぞれ操作する各操作キーと、Ｃ＃’カップ、Ｄ’カップ、及びＤ＃’カップの開閉をそれぞれ操作する各操作キーは、Ａ’カップが配置される箇所よりも足部管側に配されるようにして設けられるため、全てのカップの開閉を右手のみで無理なく操作することができるものとなる。
【００４６】
本考案の胴部管には、フルートを支持する支持具を取り付けることができる。支持具は例えば図４に示されるように三脚とすることができる。
【００４７】
支持具を取り付けることで、片手でのフルートの演奏を補助できるものとなる。
【産業上の利用可能性】
【００４８】
本考案によれば、何らかの理由で片手、特に左手が怪我などで使用できない場合であっても、右手のみで演奏することができるフルートを提供することができる。
【００４９】
また、操作キーがシンプルかつ明瞭な配列であるため、右手のみであっても演奏が事実上困難となるようなこともない。
【００５０】
のみならず、両手を用いることができる演奏者においても、例えば右手のみで本考案のフルートを演奏し、左手でピアノを演奏するといったように、一人でフルートと別の楽器、すなわち複数の楽器を演奏することが可能とする。
【００５１】
更に、本考案によれば、構造も複雑でないため、故障しやすくなることが防げるとともに、フルートの製造が困難となることも回避することができる。
【００５２】
従って、本考案の産業上の利用可能性は極めて高い。
【符号の説明】
【００５３】
１    Ｃ＃カップ
１Ｒ  Ｃ＃キー
２    Ｄカップ
２Ｒ  Ｄキー
３    Ｅｓカップ
３Ｒ  Ｅｓキー
４    Ｅカップ
４Ｒ  Ｅキー
５    Ｆカップ
５Ｒ  Ｆキー
６    Ｆ＃カップ
６Ｒ  Ｆ＃キー
７    Ｇカップ
７Ｒ  Ｇキー
８    裏Ｇ＃カップ
８Ｒ  裏Ｇ＃キー
９    Ｇ＃カップ
９Ｒ  Ｇ＃キー
１０  Ｂ♭カップ
１１  Ｈカップ
１１  Ｈキー
１２  Ｃ＃カップ２
１２Ｒ  Ｃ＃押さえキー
１３    Ｄトリルカップ
１３Ｒ  Ｄトリルキー
１４  Ｄ＃トリルカップ
１４Ｒ  Ｄ＃トリルキー
１５  ブリチャルカップ
１５Ｒ  ブリチャルキー
１６  ブルチャルキー小
１８  吹き口        
２０、４１  胴部管
２１  頭部管
２２  ポスト
２３〜３１  連絡棒
３４  支持具
４０  足部管
５０  Ｅカップ
５１  Ｆカップ
５２  Ｆ＃カップ
５３  Ｇカップ
５４  Ｇ＃’カップ（Ｇ＃カップ）
５５  Ａ’カップ（Ａカップ）
５６  Ａ＃’カップ（Ａ＃カップまたはＢ♭カップ）
５７  Ｂ’カップ（Ｈカップ）
５８  Ｃ’カップ（胴部Ｃカップ）
５９  Ｃ＃’カップ（Ｃ＃カップ）
６０  Ｄ’カップ（Ｄトリルカップ）
６１  Ｄ＃’カップ（Ｄ＃トリルカップ）
７０  Ｇ＃’操作キー（Ｇ＃キー）
７１  Ａ’操作キー（Ａキー）
７２  Ａ＃’操作キー（Ａ＃キーまたはＢ♭キー）
７３  Ｂ’操作キー（Ｈキー）
７４  Ｃ’操作キー（胴部Ｃキー）
７５  Ｃ＃’操作キー（Ｃ＃キー）
７６  Ｄ’操作キー（Ｄトリルキー）
７７  Ｄ＃’操作キー（Ｄ＃トリルキー）
【図１Ａ】
0003219026.tif 000003
【図１Ｂ】
0003219026.tif 000004
【図１Ｃ】
0003219026.tif 000005
【図２】
0003219026.tif 000006
【図３】
0003219026.tif 000007
【図４】
0003219026.tif 000008
【図５】
0003219026.tif 000009
【図６】
0003219026.tif 000010